(57)【要約】【課題】携帯機器としての信頼性を低下させずに小型・薄型化および軽量化を図った携帯機器を得る。【解決手段】携帯機器の電力源として外装部材を持たないラミネートフイルム電池６を用い、ラミネートフイルム電池６が固定されたリアケース３と回路基板８およびフロントケース２を組み立てる。このとき、ラミネートフイルム電池６の電極端子６ｂと回路基板８の給電端子８ａの接続部には絶縁用テープ１０を挟持しておく。その後、凸部９ａを有する蓋部材９をリアケース３の開口部３ｂから嵌入し、凸部９ａにより電極端子６ｂと給電端子８ａの接続部を押圧する。【選択図】        図１
2004328500.tif 000002
【特許請求の範囲】
【請求項１】
ラミネートフィルム電池と、上記ラミネートフィルム電池から電力が供給される回路基板を有する携帯機器において、
上記ラミネートフィルム電池および上記回路基板を内蔵している筐体と、
上記筐体の内面に設けられ、上記筐体を組み立てることにより上記ラミネートフィルム電池の電極端子と上記回路基板の給電端子の接続部を適度な押圧力で押圧する凸部とを備えたことを特徴とする携帯機器。
【請求項２】
上記筐体を組み立てた状態で上記ラミネートフィルム電池と上記回路基板の電気的接続を制御できる機構を備えたことを特徴とする請求項１記載の携帯機器。
【請求項３】
ラミネートフィルム電池と、上記ラミネートフィルム電池から電力が供給される回路基板を有する携帯機器において、
上記ラミネートフィルム電池および上記回路基板を内蔵している筐体と、
上記筐体に設けた開口部に嵌入され、上記ラミネートフィルム電池の電極端子と上記回路基板の給電端子の接続部を押圧する凸部を有すると共に、上記凸部により上記接続部に適度な押圧力を加えた状態で上記筐体に嵌合固定される蓋部材と、
上記ラミネートフィルム電池の電極端子と上記回路基板の給電端子の間に挟持され、その一端部が上記開口部から引き出されている絶縁用テープとを備え、
上記絶縁用テープは上記蓋部材を嵌合固定する前に引き抜かれることを特徴とする携帯機器。
【請求項４】
上記ラミネートフィルム電池は上記筐体を組み立てた後に上記筐体に設けた開口部から挿入されることを特徴とする請求項３記載の携帯機器。
【請求項５】
ラミネートフィルム電池と、上記ラミネートフィルム電池から電力が供給される回路基板を有する携帯機器において、
上記ラミネートフィルム電池と上記ラミネートフィルム電池を収納する一面がオープンである収納ケースからなる電池パックと、
上記回路基板を内蔵した筐体内に上記電池パックを出入するための開口部と、上記電池パックを上記筐体内の所定の位置まで挿入することにより、上記ラミネートフィルム電池の電極端子と上記回路基板の給電端子の接続部を押圧する機構部と、
上記開口部を塞ぐ蓋部とを備え、
上記電池パックは上記筐体を組み立てた状態で上記筐体内に装着もしくは上記筐体内から脱着できることを特徴とする携帯機器。
【発明の詳細な説明】
【０００１】
【発明の属する技術分野】
この発明は携帯機器に関し、特に、携帯機器に内蔵され電力を供給する電池の実装構造に関するものである。
【０００２】
【従来の技術】
近年、携帯電話機や情報処理端末もしくは通信機能を備えたノート型パソコン等の携帯機器は急速に普及してきており、携帯機器に対して一層の小型・薄型化および軽量化が求められている。
従来の携帯機器において、電源となる電池は、機器携帯時の振動や衝撃に対しても機器内で所定位置に保持されて基板との安定した電気的接続を確保するために電池ケース等に収納して搭載される。そのため、携帯機器を小型・薄型化および軽量化する上で制約となっている。
【０００３】
一方、携帯型ヘッドフォンステレオのように筐体形状が扁平形状の携帯機器に対しては、筐体をその厚さ方向に二分割し、二分割された筐体内にこれらの筐体と平面視で略同一形状に形成された薄型電池を筐体と平行に収納し、二分割された筐体を嵌合し組立てることにより、筐体とほぼ同一形状でありかつ扁平形状である薄型電池を筐体で挟持して安定に保持すると共に、電子部品が搭載された基板に設けられた金属製のコイルバネからなる端子が薄型電池の電極をコイルバネの弾力によって押圧して薄型電池から基板に電力を供給する構造が提案されている（例えば、特許文献１参照）。
【０００４】
【特許文献１】
特開２０００−２１３７９号公報
【０００５】
【発明が解決しようとする課題】
従来の携帯機器においては、携帯機器の扁平形状の筐体と平面視で略同一形状の薄型電池を用い、この薄型電池を厚さ方向に二分割した筐体で挟持して収納することにより、電池ケースを用いずに電池を機器内で保持する方法が提案されているが、筐体形状が扁平形状でない携帯機器に対しては言及されていない。
また、二分割された筐体を嵌合し組立てることにより、基板に設けられた金属製のコイルバネが薄型電池の電極を押圧して通電状態となり基板からのリーク電流が生じるため、組立て直後から出荷待ちの保管時においても薄型電池は基板からのリーク電流により放電されるという問題もあった。
【０００６】
この発明は、上記のような問題点を解消するためになされたもので、携帯機器としての信頼性を低下させずに小型・薄型化および軽量化を図った携帯機器を得ることを目的とする。
【０００７】
【課題を解決するための手段】
この発明に係わる携帯機器は、ラネートフィルム電池と、ラミネートフィルム電池から電力が供給される回路基板を有する携帯機器において、ラミネートフィルム電池および回路基板を内蔵している筐体と、筐体の内面に設けられ、筐体を組み立てることによりラミネートフィルム電池の電極端子と回路基板の給電端子の接続部を適度な押圧力で押圧する凸部とを備えたものである。
【０００８】
【発明の実施の形態】
実施の形態１．
以下、この発明の実施の形態を図面に基づいて説明する。図１はこの発明の実施の形態１による携帯機器（本実施の形態では携帯電話機）の断面図、図２は図１のＬ−Ｌ線に沿った断面図、図３は図１のＭ−Ｍ線に沿った断面図である。なお、図３（ａ）は筐体に蓋部材を嵌合する前の状態、図３（ｂ）は筐体に蓋部材を嵌合した状態を示す断面図である。
【０００９】
図において、携帯電話機の筐体１はフロントケース２とリアケース３３とから構成され、フロントケース２には液晶表示部４が搭載される開口部と複数個の操作キー５が各別に露出する開口部が設けられている。
リアケース３３の内側には携帯電話機の電力源となるラミネートフイルム電池６を位置決めするための電池収納リブ３３ａがラミネートフイルム電池６の四方を囲むように設けられており、ラミネートフイルム電池６は電池収納リブ３３ａに囲まれた収納部に嵌め込まれ、粘着テープ７等によってリアケース３３の内側に固定される。
【００１０】
ラミネートフイルム電池６は、ゲル状のポリマー等をラミネートフィルムにより封止した構造を有するバターカップ型ポリマー電池で、その封止部６ａからは電極端子６ｂが引き出されている。なお、ラミネートフイルム電池６の外装部材は、例えばアルミラミネートフィルム等によって構成されているので可塑性を有し、加工上の自由度が高い。また、このラミネートフイルム電池６としては、バターカップ型ポリマー電池に限らずエンベロープ型（封筒タイプ）ポリマー電池であっても良い。
【００１１】
ラミネートフイルム電池６から電力が供給され携帯電話機を動作させる回路基板３８は、筐体１の組み立て後にはリアケース３３との間にラミネートフイルム電池６を挟持する形で配置、固定され、回路基板３８のフロントケース２側にはフロントケース２の開口部から露出する複数個の操作キー５が配設され、回路基板３８のリアケース３３側にはラミネートフイルム電池６の電極端子６ｂに接続される給電端子３８ａ、および接点端子Ａ３８ｂ、接点端子Ｂ３８ｃが配置されている。
なお、給電端子３８ａは直接回路基板３８の回路部には接続されておらず、給電端子３８ａは接点端子Ａ３８ｂに、接点端子Ｂ３８ｃは回路基板３８の回路部に回路基板３８内のパターンによって各々接続されている。
【００１２】
ラミネートフイルム電池６と回路基板３８は、ラミネートフイルム電池６の封止部６ａから引き出された電極端子６ｂを回路基板３８側に１８０度折り曲げて封止部６ａに密着させた状態で回路基板３８の給電端子３８ａに対向するように配置される。
リアケース３３の内側には、ラミネートフイルム電池６の電極端子６ｂと回路基板３８の給電端子３８ａの接続部に対応する位置に、電極端子６ｂが折り曲げられている部分の封止部６ａを回路基板３８の給電端子３８ａ側に押圧する凸部３３ｂが設けられている。
リアケース３３の中央付近で、回路基板３８の接点端子Ａ３８ｂおよび接点端子Ｂ３８ｃに対応する位置には蓋部材３９が嵌合される開口部３３ｃが設けられている。なお、開口部３３ｃは蓋部材３９を嵌合することにより塞がれる。
【００１３】
蓋部材３９には、先端部に導体３９ｃ（板金、パターン等）を有する凸部３９ａと、蓋部材３９をリアケース３３に固定するための係止爪３９ｂが設けられており、蓋部材３９を開口部３３ｃに嵌合することによって導体３９ｃは回路基板３８の接点端子Ａ３８ｂと接点端子Ｂ３８ｃに押圧され、接点端子Ａ３８ｂと接点端子Ｂ３８ｃを電気的に接続する。その結果、ラミネートフイルム電池６の電力が、回路基板３８の給電端子３８ａおよび導体３９ｃを介して回路基板３８の回路部に供給される。
【００１４】
次に、本実施の形態による携帯電話機の電池実装および筐体の組み立て工程について説明する。
まず、ラミネートフィルム電池６をリアケース３３の内側に設けられた電池収納リブ３３ａに囲まれた収納部に嵌め込み、粘着テープ７等によってリアケース３３の内側に固定すると共に、ラミネートフイルム電池６の封止部６ａから引き出された電極端子６ｂを回路基板３８側に１８０度折り曲げて封止部６ａに密着した状態とする。
【００１５】
この状態でリアケース３３を回路基板３８およびフロントケース２と重ね合わせ、リアケース３３とフロントケース２をネジ止め等により固定するすることにより、リアケース３３に設けた凸部３３ｂがラミネートフイルム電池６の電極端子６ｂが折り曲げられている部分の封止部６ａを回路基板３８の給電端子３８ａ側に押圧して（矢印Ｏ方向）電極端子６ｂと給電端子３８ａを接触させる。なお、この段階では、ラミネートフイルム電池６の電力は回路基板３８の回路部には供給されない。
【００１６】
携帯電話機の出荷時（もしくは携帯電話機を使用する直前）に、蓋部材３９を開口部３３ｃから矢印Ｎ方向に押し込み（図３）、係止爪３９ｂを用いて蓋部材３９をリアケース３３に固定することにより、凸部３９ａが回路基板３８の接点端子Ａ３８ｂおよび接点端子Ｂ３８ｃに押圧され、凸部３９ａの先端部に設けられた導体３９ｃと接点端子Ａ３８ｂおよび接点端子Ｂ３８ｃを確実に接触させる。このとき、ラミネートフイルム電池６の電力が、回路基板３８の給電端子３８ａ、接点端子Ａ３８ｂ、凸部３９ａの導体３９ｃ、および接点端子Ｂ３８ｃを介して回路基板３８の回路部に供給される。
なお、上記では電極端子６ｂを折り返して封止部６ａに密着させているが、電極端子６ｂを折り返さずに給電端子３８ａを接触させても良い。
【００１７】
本実施の形態によれば、携帯機器の電力源として用いるラミネートフイルム電池６はアルミニウム製や鉄製の缶等からなる外装部材を持たないため可塑性を有すると共に加工上の自由度が高く、電池収納部の形状に合わせて加工することができ（従来は電池の形状に合わせて携帯機器に電池収納部を確保する必要があった）、その結果、携帯機器を小型・薄型化および軽量化することができる。
【００１８】
また、ラミネートフイルム電池６の電極端子６ｂと回路基板３の給電端子３８ａの接続部は、筐体１を組み立てる、即ち、リアケース３３とフロントケース２をネジ止め等により固定することによりリアケース３３に設けた凸部３３ｂによって押圧されるため、接続部を容易かつ確実に接触させることができ、さらに、接続部はフレキシブルな封止部６ａを介して凸部３３ｂにより押圧されるため、電極端子６ｂと給電端子３８ａ間は常に安定した電気的接続を確保することができる。
【００１９】
また、ラミネートフイルム電池６および回路基板３８を内蔵して筐体１を組み立てた状態では、ラミネートフイルム電池６と回路基板３８の回路部は電気的に接続されていないため、出荷前の保管時におけるラミネートフイルム電池６の自己放電を防止することができる。
【００２０】
実施の形態２．
図４はこの発明の実施の形態２による携帯機器（本実施の形態では携帯電話機）の断面図、図５は図４のＡ−Ａ線に沿った断面図を示すものである。図６は実施の形態２による携帯電話機において、筐体に蓋部材を嵌合する前の状態を示す断面図である。
【００２１】
図において、携帯電話機の筐体１はフロントケース２とリアケース３とから構成され、リアケース３の内側には携帯電話機の電力源となるラミネートフイルム電池６を位置決めするための電池収納リブ３ａがラミネートフイルム電池６の四方を囲むように設けられており、ラミネートフイルム電池６は電池収納リブ３ａに囲まれた収納部に嵌め込まれ、粘着テープ７等によってリアケース３の内側に固定される。
【００２２】
ラミネートフイルム電池６から電力が供給され携帯電話機を動作させる回路基板８は、筐体１の組み立て後にはリアケース３との間にラミネートフイルム電池６を挟持する形で配置、固定され、回路基板８のフロントケース２側にはフロントケース２の開口部から露出する複数個の操作キー５が配設されている。回路基板８のリアケース３側にはラミネートフイルム電池６の電極端子６ｂに接続される給電端子８ａが配置されている。
ラミネートフイルム電池６と回路基板８は、ラミネートフイルム電池６の封止部６ａから引き出された電極端子６ｂを回路基板８側に１８０度折り曲げて封止部６ａに密着させた状態で回路基板８の給電端子８ａに対向するように配置される。
【００２３】
リアケース３の中央付近で、ラミネートフイルム電池６の電極端子６ｂと回路基板８の給電端子８ａの接続部に対応する位置には、蓋部材９が嵌合される開口部３ｂが設けられている。なお、開口部３ｂは蓋部材９を嵌合することにより塞がれる。
蓋部材９には、電極端子６ｂが折り曲げられている部分の封止部６ａを回路基板８の給電端子８ａ側に押圧する凸部９ａと、蓋部材９をリアケース３に固定するための係止爪９ｂが設けられている。
フロントケース２とリアケース３の組み立て時には、電極端子６ｂと給電端子８ａの接触部に絶縁用テープ１０が挟持され、その一端はリアケース３の蓋部材９が嵌入される開口部３ｂから引き出されている。なお、絶縁用テープ１０は蓋部材９をリアケース３に嵌合係止する前に引き抜かれる。
なお、フロントケース２およびラミネートフイルム電池６の構成は実施の形態１と同様であるので説明を省略する。
【００２４】
次に、本実施の形態による携帯電話機の電池実装および筐体の組み立て工程について説明する。
まず、ラミネートフィルム電池６をリアケース３の内側に設けられた電池収納リブ３ａに囲まれた収納部に嵌め込み、粘着テープ７等によってリアケース３の内側に固定すると共に、ラミネートフイルム電池６の封止部６ａから引き出された電極端子６ｂを回路基板８側に１８０度折り曲げて封止部６ａに密着した状態とする。このとき、電極端子６ｂが給電端子８ａと接触する部分に絶縁用テープ１０を挟み、その一端はリアケース３の開口部３ｂから引き出しておく。
この状態でリアケース３を回路基板８およびフロントケース２と重ね合わせ、リアケース３とフロントケース２をネジ止め等により固定する。このとき、電極端子６ｂと給電端子８ａは絶縁用テープ１０により絶縁状態にある。
【００２５】
携帯電話機の出荷時（もしくは携帯電話機を使用する直前）に、絶縁用テープ１０を開口部３ｂから矢印Ｂ方向に引き抜くと共に蓋部材９を開口部３ｂから矢印Ｃ方向に押し込み（図６）、係止爪９ｂを用いて蓋部材９をリアケース３に固定することにより、凸部９ａがラミネートフイルム電池６の電極端子６ｂが折り曲げられている部分の封止部６ａを回路基板８の給電端子８ａ側に押圧して電極端子６ｂと給電端子８ａを確実に接触させる。
なお、上記では電極端子６ｂを折り返して封止部６ａに密着させているが、電極端子６ｂを折り返さずに給電端子８ａを接触させても良い。
本実施の形態によっても実施の形態１と同様の効果が得られる。
【００２６】
実施の形態３．
図７、図８は実施の形態２の変形例を示す図で、図７は実施の形態３による携帯機器（本実施の形態では携帯電話機）の断面図、図８は図７のＤ−Ｄ線に沿った断面図を示すものである。
【００２７】
実施の形態２では、ラミネートフィルム電池６の封止部６ａおよび電極端子６ｂをリアケース３の中央部側に配置し、リアケース３に設けられた開口部３ｂを介し、ラミネートフィルム電池６の電極端子６ｂと回路基板８の給電端子８ａの接続面に対して垂直方向から蓋部材９を押し込む（図６中矢印Ｃ）ことにより、蓋部材９の凸部９ａによって直接電極端子６ｂと給電端子８ａの接続部を押圧する例を示したが、本実施の形態では、封止部６ａおよび電極端子６ｂはリアケース１１の一端部側に配置され、リアケース１１に設けられた開口部１１ｃを介して電極端子６ｂと給電端子８ａの接続面に対して水平方向から蓋部材１２を押し込むことにより（図７中矢印Ｅ）、蓋部材１２に設けられ加撓性を有するアーム部１２ａがリアケース１１に設けられたリブ１１ｂに当たり進行方向（加圧方向）が変えられて（図７中矢印Ｆ）、電極端子６ｂと給電端子８ａの接続部を押圧するように構成されている。
【００２８】
なお、リアケース１１の内側にはラミネートフイルム電池６を位置決めするための電池収納リブ１１ａがラミネートフイルム電池６の三方（封止部６ａが設けられている面以外）を囲むように設けられ、また、蓋部材１２はリアケース１１の開口部１１ｃ周辺に設けられた係止部１１ｄに嵌合係止する係止爪１２ｂを有している。なお、開口部１１ｃは蓋部材１２を嵌合することにより塞がれる
なお、その他の構成は実施の形態２と同様であるので説明を省略する。
【００２９】
次に、本実施の形態による携帯電話機の電池実装および筐体の組み立て工程について説明する。
まず、ラミネートフィルム電池６をリアケース１１の内側に設けられた電池収納リブ１１ａに囲まれた収納部に嵌め込み、粘着テープ７等によってリアケース３の内側に固定すると共に、ラミネートフイルム電池６の封止部６ａから引き出された電極端子６ｂを回路基板８側に１８０度折り曲げて封止部６ａに密着した状態とする。このとき、電極端子６ｂが給電端子８ａと接触する部分に絶縁用テープ１０を挟み、その一端はリアケース１１の開口部１１ｃから引き出しておく。
この状態でリアケース１１を回路基板８およびフロントケース２と重ね合わせ、リアケース１１とフロントケース２をネジ止め等により固定する。このとき、電極端子６ｂと給電端子８ａは絶縁用テープ１０により絶縁状態にある。
【００３０】
携帯電話機の出荷時（もしくは携帯電話機を使用する直前）に、絶縁用テープ１０を開口部１１ｃから矢印Ｇ方向に引き抜くと共に蓋部材１２を開口部１１ｃから矢印Ｅ方向に押し込むことにより、蓋部材１２に設けられたアーム部１２ａがリアケース１１に設けられたリブ１１ｂに当たり進行方向（加圧方向）が変えられて（図７中矢印Ｆ）電極端子６ｂと給電端子８ａの接続部を押圧し、蓋部材１２の係止爪１２ｂをリアケース１１の係止部１１ｄに嵌合係止することにより蓋部材１２はリアケース１１に固定されると共にアーム部１２ａがラミネートフイルム電池６の電極端子６ｂが折り曲げられている部分の封止部６ａを回路基板８の給電端子８ａ側に押圧して電極端子６ｂと給電端子８ａを確実に接触させる。
本実施の形態によっても実施の形態１と同様の効果が得られる。
【００３１】
実施の形態４．
図９はこの発明の実施の形態４による携帯機器（本実施の形態では携帯電話機）の断面図、図１０は図９のＨ−Ｈ線に沿った断面図を示すものである。図１１は実施の形態４による携帯電話機において、筐体に蓋部材を嵌合する前の状態を示す断面図である。
【００３２】
図において、携帯電話機の筐体１はフロントケース２とリアケース１３から構成され、リアケース１３の一端部には、フロントケース２とリアケース１３を組み立て後にラミネートフイルム電池６が挿入される開口部１３ｂおよびそれを塞ぐ蓋部材１４が具備されている。
リアケース１３の内側にはラミネートフイルム電池６を位置決めするための電池収納リブ１３ａがラミネートフイルム電池６の三方を囲むように設けられ、電池収納リブ１３ａの開口部の両端には、リアケース１３に沿って電池収納リブ１３ａ内に挿入されたラミネートフイルム電池６が抜けないように固定用爪１３ｃが設けられている。
【００３３】
ラミネートフイルム電池６はその封止部６ａおよび電極端子６ｂがリアケース１３の開口部１３ｂ側になるように配置され、回路基板８はその給電端子８ａがラミネートフイルム電池６の封止部６ａから真っ直ぐ引き出された電極端子６ｂと対向するよう配置される。
蓋部１４には電極端子６ｂを給電端子８ａに押圧する凸部１４ａと、蓋部１４をリアケース１３に固定するための機構部（図示せず）が設けられている。
【００３４】
ラミネートフイルム電池６の電極端子６ｂもしくは回路基板８の給電端子８ａには、予め絶縁用テープ１０が後に容易にはずれる状態で固定され、その一端はリアケース１３の開口部１３ｂから引き出される。
なお、フロントケース２、ラミネートフイルム電池６、および回路基板８の構成は実施の形態２と同様であるので説明を省略する。
【００３５】
次に、本実施の形態による携帯電話機の電池実装および筐体の組み立て工程について説明する。
まず、フロントケース２とリアケース１３をネジ止め等により組み立てる。このとき、ラミネートフイルム電池６の電極端子６ｂもしくは回路基板８の給電端子８ａには絶縁用テープ１０が固定されている。
【００３６】
次に、リアケース１３の開口部１３ｂからラミネートフィルム電池６をリアケース１３の内側に設けた電池収納リブ１３ａに沿うように挿入し、ラミネートフイルム電池６が所定の位置に収納されると、電池収納リブ１３ａに設けた固定用爪１３ｃによりラミネートフィルム電池６の脱落を防止する。なお、ラミネートフィルム電池６の筐体１からの脱落防止機構は上記構造に限定されるものではない。
このとき、リアケース１３の所定位置に収納されたラミネートフィルム電池６の封止部６ａから引き出された電極端子６ｂは回路基板８の給電端子８ａと対向した状態となり、電極端子６ｂと給電端子８ａの間には絶縁用テープ１０を挟持した状態となる。絶縁用テープ１０の一端はリアケース１３の開口部１３ｂから引き出しておく。
【００３７】
携帯電話機の出荷時（もしくは携帯電話機を使用する直前）に、絶縁用テープ１０を開口部１３ｂから矢印Ｊ方向に引き抜くと共に蓋部１４をリアケース１３に固定することにより（図１１）、蓋部１４に設けた凸部１４ａがラミネートフイルム電池６の電極端子６ｂを回路基板８の給電端子８ａ側（矢印Ｋ方向）に押圧して電極端子６ｂと給電端子８ａを確実に接触させる。
なお、上記では電極端子６ｂを折り返さず凸部１４ａにより電極端子６ｂを直接押圧して給電端子８ａと接触させているが、電極端子６ｂを折り返して封止部６ａに密着させ、凸部１４ａにより封止部６ａを介して電極端子６ｂａを押圧し、給電端子８ａと接触させても良い。
【００３８】
本実施の形態によっても実施の形態１と同様の効果が得られると共に、フロントケース２とリアケース１３を組み立てた後にラミネートフイルム電池６を挿入するため、ラミネートフイルム電池６は粘着テープ等で筐体に固定されておらず、ラミネートフイルム電池６の交換を容易に行うことが出来る。
【００３９】
実施の形態５．
図１２はこの発明の実施の形態５による携帯機器（本実施のでは携帯電話機）を示す断面図、図１３は図１２に示す携帯電話機に搭載される電池パックの構造を示す図で、（ａ）、（ｂ）は表側を二方向から見た斜視図、（ｃ）は裏側から見た斜視図である。
【００４０】
図において、携帯電話機の筐体１はフロントケース２とリアケース１５から構成され、リアケース１５の一端部には、フロントケース２とリアケース１５を組み立て後に電池パック１７を挿入する開口部１５ａおよびそれを塞ぐ蓋部１６が具備されている。
フロントケース２および回路基板８の構成は実施の形態２と同様であるので説明を省略する。
【００４１】
電池パック１７は、図１３に示すように、一面がオープンになっている収納ケース１８内にラミネートフイルム電池６が粘着テープ７等により固定されて構成される。なお、電池パック１７は筐体１内の電池収納スペースに嵌合した形状を有している。
ラミネートフイルム電池６の電極端子６ｂは収納ケース１８がオープンとなっている側に１８０度折り曲げられて封止部６ａに密着した状態で収納ケース１８に納められ、電極端子６ｂが折り曲げられて封止部６ａに密着している部分の収納ケース１８には、可撓性を有するアーム部１８ａが一体成形で設けられている。
【００４２】
アーム部１８ａは、リアケース１５に設けられた開口部１５ａを介して電池パック１７をアーム部１８ａ側から挿入することにより、リアケース１５に設けられたリブ１５ｂのテーパ面に沿って収納ケース１８内部側に押し込まれ、封止部６ａを介して電極端子６ｂを回路基板８の給電端子８ａ側へ押圧するように構成されている。
収納ケース１８においてアーム部１８ａの反対側には、電池パック１７を筐体１へ挿入完了後、電池パック１７が筐体１から脱落するのを防止するための可撓性を有するストッパーアーム１８ｂが設けられ、ストッパーアーム１８ｂはリアケース１５の開口部１５ａ内側に係止される。
【００４３】
次に、本実施の形態による携帯電話機の電池実装および筐体の組み立て工程について説明する。
携帯電話機の筐体１は、フロントケース２とリアケース１５をネジ止め等により組み立てることにより形成される。
【００４４】
電池パック１７は携帯電話機の出荷時（もしくは携帯電話機を使用する直前）にリアケース１５の開口部１５ａから挿入される。
電池パック１７を挿入すると、収納ケース１８のアーム部１８ａがリアケース１５に設けられたリブ１５ｂのテーパ面に沿って収納ケース１８内部側に押し込まれ、封止部６ａを介して電極端子６ｂを回路基板８の給電端子８ａ側へ押圧することにより、電極端子６ｂと給電端子８ａを確実に接触させる。
【００４５】
電池パック１７が筐体１内で所定の位置まで挿入されると同時に収納ケース１８のストッパーアーム１８ｂがリアケース１５の開口部１５ａ内側に係止され、筐体１からの電池パック１７の脱落を防止する。
なお、電池パック１７の筐体１からの脱落防止機構は上記構造に限定されるものではない。
その後、蓋部１６をネジ止め等によりリアケース１５に固定する。
なお、電池パック１７はリアケース１５の蓋部１６を取り外してストッパーアーム１８ｂを解除することにより取り出すことが可能である。
【００４６】
本実施の形態によれば、ラミネートフイルム電池６を収納している収納ケース１８は、携帯機器に内蔵されることから従来のような収納ケース（樹脂材成形品）による密閉構造は不要であり、その結果、携帯機器を小型・薄型化および軽量化することができる。
また、可塑性を有するラミネートフイルム電池６を筐体１内の電池収納スペースの形状に合わせた収納ケース１８内に収納し電池パック１７を構成することにより、電池の挿入口（開口部１５ａ）を介しての電池パック１７の筐体１への挿入および取り出しをスムーズに行うことができると共に筐体内で安定して収納することができ、さらに、電池パック１７の挿入および取り出しは筐体１を組み立てた状態で可能となる。
【００４７】
また、ラミネートフイルム電池６の電極端子６ｂと回路基板８の給電端子８ａの接続部は、電池パック１７を筐体１内の所定位置まで挿入することにより確実に接触するように構成されており、また、接続部はフレキシブルな封止部６ａを介してアーム部１８ａにより押圧されるため、電極端子６ｂと給電端子８ａ間は常に安定した電気的接続を確保することができる。
また、ラミネートフイルム電池６の電極端子６ｂが引き出される封止部６ａは収納ケース１８内に収納されるため、封止部６ａを保護することができる。
【００４８】
実施の形態６．
図１４はこの発明の実施の形態６による携帯機器（本実施のでは携帯電話機）を示す断面図、図１５は図１４に示す携帯電話機に搭載される電池パックの構造を示す図で、（ａ）、（ｂ）は表側を二方向から見た斜視図、（ｃ）は裏側から見た斜視図である。
【００４９】
図において、携帯電話機の筐体１はフロントケース２とリアケース１９から構成され、リアケース１９の一端部には、フロントケース２とリアケース１９を組み立て後に電池パック６が挿入される開口部１９ａおよびそれを塞ぐ蓋部２０が具備されている。
フロントケース２および回路基板８の構成は実施の形態２と同様であるので説明を省略する。
【００５０】
電池パック２１は、図１５に示すように、一面がオープンになっている収納ケース２２内にラミネートフイルム電池６が粘着テープ７等により固定されて構成されている。
ラミネートフイルム電池６の電極端子６ｂは収納ケース２２がオープンとなっている側に１８０度折り曲げられて封止部６ａに密着した状態で収納ケース２２に納められ、電極端子６ｂが折り曲げられて封止部６ａに密着している部分の収納ケース２２には開口部２２ａが設けられている。
【００５１】
リアケース１９において、収納ケース２２の開口部２２ａが装着される位置にはリアケース１９の内側にカム１９ｂが設けられ、リアケース１９に設けられた開口部１９ａを介して電池パック２１を挿入すると、カム１９ｂが収納ケース２２の開口部２２ａから露出している封止部６ａ（電極端子６ｂが折り曲げられて密着している部分）に乗り上げ、電池パック２１の挿入が完了した時点で封止部６ａを介して電極端子６ｂを回路基板８の給電端子８ａ側へ適度な圧力で押圧するように構成されている。
【００５２】
次に、本実施の形態による携帯電話機の電池実装および筐体の組み立て工程について説明する。
携帯電話機の筐体１は、フロントケース２とリアケース１９をネジ止め等により組み立てることにより形成される。
【００５３】
電池パック２１は携帯電話機の出荷時（もしくは携帯電話機を使用する直前）にリアケース１９の開口部１９ａから挿入される。
電池パック２１を挿入すると、リアケース１９に設けられたカム１９ｂが収納ケース２２の開口部２２ａから露出している封止部６ａ（電極端子６ｂが折り曲げられて密着している部分）に乗り上げ、電池パック２１の挿入が完了した時点でカム１９ｂは封止部６ａを介して電極端子６ｂを回路基板８の給電端子８ａ側へ適度な圧力で押圧して電極端子６ｂと給電端子８ａを確実に接触させる。
電池パック２１の挿入完了後、蓋部２０をネジ止め等によりリアケース１９に固定する。
なお、電池パック２１はリアケース１９の蓋部２０を取り外すことにより取る出すことが可能である。
【００５４】
なお、実施の形態５および６では電極端子６ｂを折り返して封止部６ａに密着させているが、電極端子の形状はこれに限定されるものではない。
また、実施の形態１〜６おいて、ラミネートフイルム電池６の電極端子６ｂと回路基板８の給電端子８ａの間にＰＴＣ等の保護素子をシリーズに配置しても良い。
本実施の形態によっても実施の形態５と同様の効果が得られる。
【００５５】
【発明の効果】
以上のように、この発明によれば、携帯機器の電力源として用いるラミネートフイルム電池の外装部材は例えばアルミラミネートフイルム等で構成されているため可塑性を有すると共に加工上の自由度が高いため、電池収納部の形状に合わせて加工することができるので小型・薄型化および軽量化された携帯機器を得ることができる。
また、電池と該電池から電力が供給される回路基板の接続部は、筐体を組み立てた後に蓋部材を筐体に嵌合・固定することにより、その蓋部材の一部で直接加圧されるため信頼性の高い電気的接続を得ることができる。
【図面の簡単な説明】
【図１】この発明の実施の形態１による携帯電話機を示す断面図である。
【図２】この発明の実施の形態１による携帯電話機の他の断面を示す図である。
【図３】この発明の実施の形態１による携帯電話機のさらに他の断面を示す断面図である。
【図４】この発明の実施の形態２による携帯電話機を示す断面図である。
【図５】この発明の実施の形態２による携帯電話機の他の断面を示す図である。
【図６】この発明の実施の形態２による携帯電話機において、筐体に蓋部材を嵌合する前の状態を示す断面図である。
【図７】この発明の実施の形態３による携帯電話機の他の断面を示す図である。
【図８】この発明の実施の形態３による携帯電話機の他の断面を示す図である。
【図９】この発明の実施の形態４による携帯電話機を示す断面図である。
【図１０】この発明の実施の形態４による携帯電話機の他の断面を示す図である。
【図１１】この発明の実施の形態４による携帯電話機において、筐体に蓋部材を嵌合する前の状態を示す断面図である。
【図１２】この発明の実施の形態５による携帯電話機を示す断面図である。
【図１３】この発明の実施の形態５による携帯電話機に装着される電池パックを示す斜視図である。
【図１４】この発明の実施の形態６による携帯電話機を示す断面図である。
【図１５】この発明の実施の形態６による携帯電話機に装着される電池パックを示す斜視図である。
【符号の説明】
１  筐体、２  フロントケース、３  リアケース、３ａ  電池収納リブ、
３ｂ  開口部、４  液晶表示部、５  操作キー、６  ラミネートフイルム電池、
６ａ  封止部、６ｂ  電極端子、７  粘着テープ、８  回路基板、
８ａ  給電端子、９  蓋部材、９ａ  凸部、９ｂ  係止爪、
１０  絶縁用テープ、
１１  リアケース、１１ａ  電池収納リブ、１１ｂ  リブ、１１ｃ  開口部、
１１ｄ  係止部、１２  蓋部材、１２ａ  アーム部、１２ｂ    係止爪、
１３  リアケース、
１３ａ  電池収納リブ、１３ｂ  開口部、１３ｃ  固定用爪、
１４  蓋部、１４ａ  凸部、
１５  リアケース、１５ａ  開口部、１５ｂ  リブ、１６  蓋部、
１７  電池パック、１８  収納ケース、１８ａ  アーム部、
１８ｂ    ストッパーアーム、
１９  リアケース、１９ａ  開口部、１９ｂ  カム、２０  蓋部、
２１    電池パック、２２  収納ケース、２２ａ  開口部、
３３  リアケース、３３ａ  電池収納リブ、３３ｂ  凸部、３３ｃ  開口部、
３８  回路基板、
３８ａ  給電端子、３８ｂ  接点端子Ａ、３８ｃ  接点端子Ｂ、
３９  蓋部材、３９ａ  凸部、３９ｂ  係止爪、３９ｃ  導体。
【図１】
2004328500.tif 000003
【図２】
2004328500.tif 000004
【図３】
2004328500.tif 000005
【図４】
2004328500.tif 000006
【図５】
2004328500.tif 000007
【図６】
2004328500.tif 000008
【図７】
2004328500.tif 000009
【図８】
2004328500.tif 000010
【図９】
2004328500.tif 000011
【図１０】
2004328500.tif 000012
【図１１】
2004328500.tif 000013
【図１２】
2004328500.tif 000014
【図１３】
2004328500.tif 000015
【図１４】
2004328500.tif 000016
【図１５】
2004328500.tif 000017